(57)【特許請求の範囲】
【請求項１】
内燃機関のトルク及び回転数間の相対比率を調整可能な調整機構を制御する内燃機関の制御装置であって、
前記内燃機関における動作に対して悪影響を及ぼすと共に前記相対比率の値に応じて発生のし易さが変化する状態についての、該発生を検出する検出手段と、
前記発生が検出された場合に、前記相対比率を前記状態が発生し難くなる側に変化させるように、前記調整機構を制御する制御手段と
を備え、
前記検出手段は、前記発生として前記内燃機関の燃焼室内におけるプレイグの発生を検出し、
前記制御手段は、前記プレイグの発生が検出された場合に、前記トルクに対し前記回転数が相対的に減る側に前記相対比率を変化させるように前記調整機構を制御する
ことを特徴とする内燃機関の制御装置。
【請求項２】
前記制御手段は、前記プレイグの発生が検出された場合に、前記内燃機関の点火プラグの接地電極の温度を、前記プレイグが発生しない温度まで下げるように、前記調整機構を制御する
ことを特徴とする請求項１に記載の内燃機関の制御装置。
【請求項３】
前記検出手段は、前記発生として、前記内燃機関に係る燃焼変動の程度の所定変動範囲からの逸脱を検出し、
前記制御手段は、前記逸脱が検出された場合に、前記内燃機関がリーン燃焼を行っていれば、前記トルクに対し前記回転数が相対的に増える側に前記相対比率を変化させるように前記調整機構を制御する
ことを特徴とする請求項１に記載の内燃機関の制御装置。
【請求項４】
前記制御手段は、前記逸脱が検出された場合に、前記内燃機関の点火プラグの接地電極の温度を、前記燃焼変動が前記所定変動範囲に収まる温度まで上げるように、前記相対比率を変化させる
ことを特徴とする請求項３に記載の内燃機関の制御装置。
【請求項５】
前記検出手段は、前記発生として、前記逸脱に加えて前記内燃機関の燃焼室内におけるプレイグの発生を検出し、
前記制御手段は、前記逸脱が検出された場合であり且つ前記プレイグの発生が検出されない場合に、前記トルクに対し前記回転数が相対的に増える側に前記相対比率を変化させるように前記調整機構を制御する
ことを特徴とする請求項３又は４に記載の内燃機関の制御装置。
【請求項６】
前記検出手段は、前記発生として、前記内燃機関に係る点火プラグの燻りを検出し、
前記制御手段は、前記燻りが検出された場合に、前記トルクに対し前記回転数が相対的に増える側に前記相対比率を変化させるように前記調整機構を制御する
ことを特徴とする請求項１に記載の内燃機関の制御装置。
【請求項７】
前記制御手段は、前記燻りが検出された場合に、前記内燃機関の点火プラグの接地電極の温度を、前記点火プラグに付着した煤を焼き落とす温度まで上げるように、前記相対比率を変化させる
ことを特徴とする請求項６に記載の内燃機関の制御装置。
【請求項８】
前記検出手段は、前記発生として、前記燻りに加えて前記内燃機関の燃焼室内におけるプレイグの発生を検出し、
前記制御手段は、前記燻りが検出された場合であり且つ前記プレイグの発生が検出されない場合に、前記トルクに対し前記回転数が相対的に増える側に前記相対比率を変化させるように前記調整機構を制御する
ことを特徴とする請求項６又は７に記載の内燃機関の制御装置。
【発明の詳細な説明】
【技術分野】
【０００１】
本発明は、例えば、トルクと回転数との相対比率を調整可能なトランスミッション機構等の調整機構を備えた、車両用の過給ガソリンエンジン等の内燃機関において、プレイグ（即ち、過早着火）を回避するように調整機構を制御する制御装置の技術分野に関する。
【背景技術】
【０００２】
この種のプレイグを回避するため制御装置として、内燃機関の運転状態の変化を検知して、燃料噴射量を適宜増量させることで、プレイグ発生温度の下限を引き上げ、これにより、プレイグの回避を図る装置が提案されている（特許文献１参照）。
【０００３】
【特許文献１】特許第３３８２７７１号公報
【発明の開示】
【発明が解決しようとする課題】
【０００４】
しかしながら、例えば前述の特許文献１に開示されている技術によれば、燃料噴射量を増加させる際にトルク等の変化が考慮されていないため、プレイグの回避と引き替えに出力の安定性が犠牲になる可能性がある。又、特許文献１に開示された燃料噴射量を増加させる技術を用いず、点火プラグの熱価を比較的高く設計することで点火プラグの温度上昇を抑制し、プレイグを回避することも確かに可能である。しかし、この場合には、点火プラグの熱価を高くすると、トルク変動の度合いの悪化或いは煤りの発生といった別の問題も発生し得る。このように従来は、プレイグの発生、トルク変動、点火プラグの煤りなど、内燃機関における動作に対して悪影響を及ぼす各種の状態の発生を、効率良く阻止或いは回避することが困難であるという技術的な問題点がある。
【０００５】
本発明は、例えば上述した問題点に鑑みてなされたものであり、プレイグの発生など、内燃機関における動作に対して悪影響を及ぼす状態の発生を、阻止或いは回避可能である内燃機関の制御装置を提供することを課題とする。
【課題を解決するための手段】
【０００６】
本発明の内燃機関の制御装置は、内燃機関のトルク及び回転数間の相対比率を調整可能な調整機構を制御する内燃機関の制御装置であって、前記内燃機関における動作に対して悪影響を及ぼすと共に前記相対比率の値に応じて発生のし易さが変化する状態についての、該発生を検出する検出手段と、前記発生が検出された場合に、前記相対比率を前記状態が発生し難くなる側に変化させるように、前記調整機構を制御する制御手段とを備え、前記検出手段は、前記発生として前記内燃機関の燃焼室内におけるプレイグの発生を検出し、前記制御手段は、前記プレイグの発生が検出された場合に、前記トルクに対し前記回転数が相対的に減る側に前記相対比率を変化させるように前記調整機構を制御する。
【０００７】
本発明の内燃機関の制御装置によれば、予め、内燃機関における動作、典型的には正常な運転動作に対して、悪影響を及ぼす状態の発生が、検出手段によって検出される。ここに「検出」とは、例えば検出用センサ等によって、係る「状態」を直接的に示すパラメータを検出する場合の他、係る「状態」と所定関係を有する他の一又は複数のパラメータから推定する或いは推測する、即ち間接的に検出する場合も含む意味である。更に、ここでの発生の検出は、一又は複数のパラメータに基く、係る状態の発生の成否に係る判定処理或いは判定動作を伴ってもよい。例えば発生検出用の閾値を予め設定しておき、該閾値を超えて場合に、発生しているとの検出が行われ、逆に、該閾値を超えない場合に、発生していないとの検出が行われる（即ち、発生は検出されない）としてもよい。このように検出される「状態」は特に、トルク及び回転数間の相対比率の値に応じて、発生のし易さが大なり小なり変化する性質を有するものであり、典型的には、例えば、内燃機関の燃焼室内におけるプレイグ、燃焼変動、プラグのくすぶりなど、内燃機関を構成する部材や部位或いは内燃機関の動作状態についての、正常な動作に対して悪影響を多少なりとも及ぼす各種の状態（即ち、悪状態）である。また「悪影響を及ぼす」とは、実際に悪影響を及ぼす場合の他、悪影響を及ぼす可能性がある、或いは悪影響を及ぼす蓋然性が高い場合も含む意味である。
【０００８】
このように検出手段によって、例えばプレイグの発生が予測される或いはプレイグの発生が検知された場合など、悪影響を及ぼす状態が検出された場合には、ＥＣＵ（Ｅｌｅｃｔｒｏｎｉｃ  Ｃｏｎｔｒｏｌ  Ｕｎｉｔ）などを有する、制御手段による制御下で、例えばトランスミッション機構或いは動力分割機構である、調整機構によって、トルク及び回転数間の相対比率が、前述の状態が発生し難くなる側に変化させられる。例えば、等出力でトルク及び回転数間の相対比率を変化させると、内燃機関の燃焼室（具体的に例えば、点火プラグの接地電極）の温度が変化することが判明している。そこで、プレイグが発生した場合には、このような調整機構による相対比率の変更として、等出力で低負荷高回転から高負荷低回転へと運転状態が変化させられると、その結果、点火プラグの接地電極の温度が、プレイグが発生しない温度にまで下げられる。検出手段によって、燃焼室内におけるプレイグの発生が検出されると、制御手段による制御下で、調整機構によって、トルクに対し回転数が減らされる。即ち、等出力で低負荷高回転から高負荷低回転へと運転状態が変化させられる。ここで「プレイグ」とは点火プラグが予定より早く着火することであり、かかるプレイグは直接的或いは間接的に検出されてよく、例えば、内燃機関の制御上の点火時期と、実際の点火時期との先後関係に基いて検出されてよい。このようなプレイグは、例えば過給機ガソリンエンジンのような筒内燃焼温度が比較的高い内燃機関において、点火プラグの温度が上昇し過ぎるために発生する。そこで、上述の如く高負荷低回転へと運転状態が変化させられれば、内燃機関の燃焼室（具体的に例えば、点火プラグの接地電極）の温度が下げられるので、プレイグの発生は、阻止若しくは低減又は回避されることになる。このように、プレイグを適宜阻止等できれば、点火プラグの熱価を下げるような設計、即ち、熱を逃がしにくい故に燻りが発生しにくい設計が許容され、実践上大変有利である。
【０００９】
尚、制御手段は、上述の如きトルク及び回転数間の相対比率を変化させる制御と並行して、ハイブリッド車両におけるモータによるアシストを変化させる制御を行ってもよい。いずれの場合にも、制御手段は、少なくともトルク及び回転数間の相対比率を変化させる制御を実行し、その時点で車両に対して要求されている出力を維持することが可能である。
【００１０】
他方、このような内燃機関における動作に対して悪影響を及ぼすような状態が発生しなければ、トルク及び回転数間の相対比率は、例えば燃費効率を高める或いはパワーを高めるなどの、内燃機関に対する一般的な要請から決められる値に設定されつつ、当該内燃機関の動作が続けられる。
【００１１】
以上の結果、例えばプレイグが発生する、燃焼変動の過多が発生する、プラグのくすぶりが発生するなど、内燃機関における動作に対して悪影響を及ぼすような状態が発生しても、トルク及び回転数間の相対比率を変化させることによって、係る状態を軽減若しくは緩和又は消滅させることができ、実践上非常に有利である。
【００１４】
本発明の内燃機関の制御装置の一態様では、前記検出手段は、前記プレイグの発生が検出された場合に、前記内燃機関の点火プラグの接地電極の温度を、前記プレイグが発生しない温度まで下げるように、前記調整機構を制御してもよい。
【００１５】
このように構成すれば、上述の如く高負荷低回転へと運転状態を変化させることで、点火プラグの接地電極の温度を下げれるので、確実に、プレイグの発生を阻止若しくは低減又は回避できる。
【００１６】
或いは本発明の内燃機関の制御装置の他の態様では、前記検出手段は、前記発生として、前記内燃機関に係る燃焼変動の程度の所定変動範囲からの逸脱を検出し、前記制御手段は、前記逸脱が検出された場合に、前記内燃機関がリーン燃焼を行っていれば、前記トルクに対し前記回転数が相対的に増える側に前記相対比率を変化させるように前記調整機構を制御する。
【００１７】
この態様によれば、検出手段によって、典型的にはトルク変動が正常とは言えない程度まで大きくなる場合など、燃焼変動の程度の所定変動範囲からの逸脱の発生が検出されると、内燃機関がリーン燃焼を行っていれば、制御手段による制御下で、調整機構によって、トルクに対し回転数が増やされる。即ち、等出力で高負荷低回転から低負荷高回転へと運転状態が変化させられる。ここで「燃焼変動の程度」とは、燃焼変動の大きさを表す定量的な概念である。このような燃焼変動の度合いは、例えば、トルクの変化率又は変化量であってもよい。また、燃焼変動は回転数の変動を伴うため、回転数に基いて得られる、例えば、回転数の変化率又は変化量などであってもよい。また、燃焼変動は燃焼圧の変動と相関するものであるから、燃焼圧の変化率又は変化量などであってもよい。このような燃焼変動は、例えば内燃機関がリーン燃焼を行う際に、燃焼室の温度が低過ぎると特に顕著に悪化する虞がある。そこで、上述の如く低負荷高回転へと運転状態を変化させることで、内燃機関の燃焼室の温度を上げれば、燃焼変動の悪化は、阻止若しくは低減又は回避されることになる。
【００１８】
この態様では、前記制御手段は、前記逸脱が検出された場合に、前記内燃機関の点火プラグの接地電極の温度を、前記燃焼変動が前記所定変動範囲に収まる温度まで上げるように、前記相対比率を変化させてもよい。
【００１９】
このように構成すれば、上述の如く低負荷高回転へと運転状態を変化させることで、点火プラグの接地電極の温度を上げれるので、確実に、燃焼変動の悪化を阻止若しくは低減又は回避できる。
【００２０】
この態様では、前記検出手段は、前記発生として、前記逸脱に加えて前記内燃機関の燃焼室内におけるプレイグの発生を検出し、前記制御手段は、前記逸脱が検出された場合であり且つ前記プレイグの発生が検出されない場合に、前記トルクに対し前記回転数が相対的に増える側に前記相対比率を変化させるように前記調整機構を制御してもよい。
【００２１】
このように構成すれば、実際にプレイグが発生している場合やプレイグが発生すると予想されるような場合には、燃焼変動の悪化を避けるための燃焼室の温度上昇を実行しないので、燃焼変動の悪化を阻止或いは回避することよりも、プレイグの発生を阻止或いは回避することを優先できる。他方で、プレイグの発生を回避できる場合であれば、燃焼変動の悪化を積極的に阻止或いは回避できる。
【００２２】
或いは本発明の内燃機関の制御装置の他の態様では、前記検出手段は、前記発生として、前記内燃機関に係る点火プラグの燻りを検出し、前記制御手段は、前記燻りが検出された場合に、前記トルクに対し前記回転数が相対的に増える側に前記相対比率を変化させるように前記調整機構を制御する。
【００２３】
この態様によれば、検出手段によって、点火プラグの燻りが検出されると、制御手段による制御下で、調整機構によって、トルクに対し回転数が増やされる。即ち、等出力で高負荷低回転から低負荷高回転へと運転状態が変化させられる。ここで「燻り」とは点火プラグに煤が付着して着火しなくなることである。このような点火プラグの燻りは、例えば燃焼室の温度が低過ぎると特に顕著に発生する虞がある。そこで、上述の如く低負荷高回転へと運転状態が変化させられれば、内燃機関の燃焼室の温度が上げられるので、点火プラグに付着した煤を焼き落とすことになり、或いは少なくとも煤を焼き落とす程度が高まり、点火プラグの燻りは、阻止若しくは低減又は回避されることになる。
【００２４】
この態様では、前記制御手段は、前記燻りが検出された場合に、前記内燃機関の点火プラグの接地電極の温度を、前記点火プラグに付着した煤を焼き落とす温度まで上げるように、前記相対比率を変化させてもよい。
【００２５】
このように構成すれば、上述の如く低負荷高回転へと運転状態が変化させられることで、点火プラグの接地電極の温度が上がるので、確実に、点火プラグの燻りを阻止若しくは低減又は回避できる。
【００２６】
この態様では、前記検出手段は、前記発生として、前記燻りに加えて前記内燃機関の燃焼室内におけるプレイグの発生を検出し、前記制御手段は、前記燻りが検出された場合であり且つ前記プレイグの発生が検出されない場合に、前記トルクに対し前記回転数が相対的に増える側に前記相対比率を変化させるように前記調整機構を制御してもよい。
【００２７】
このように構成すれば、実際にプレイグが発生している場合やプレイグが発生すると予想されるような場合には、点火プラグの燻りを避けるための燃焼室の温度上昇を実行しないので、点火プラグの燻りを阻止或いは回避することよりも、プレイグの発生を阻止或いは回避することを優先できる。他方で、プレイグの発生を回避できる場合であれば、点火プラグの燻りを積極的に阻止或いは回避できる。
【００２８】
本発明の作用及び他の利得は、次に説明する実施するための最良の形態から明らかにされよう。
【発明を実施するための最良の形態】
【００２９】
以下、発明を実施するための最良の形態として本発明の一実施形態を、図面に基いて詳細に説明する。
【００３０】
（１）第１実施形態
第１実施形態に係る内燃機関の制御装置の構成及び動作処理を、図１から図５を参照して説明する。
【００３１】
（１−１）構成
先ず、本実施形態に係る内燃機関の制御装置が搭載されたハイブリッドシステム１０の構成について、図１及び図２を参照して説明する。
【００３２】
＜ハイブリッドシステムの構成＞
始めに、図１を参照して、本発明の一実施形態に係るハイブリッドシステム１０の構成について説明する。ここに、図１は、本発明の第１実施形態に係るハイブリッドシステムのブロック図である。
【００３３】
図１において、ハイブリッドシステム１０は、ＥＣＵ１００、エンジン２００、過給機６００、モータジェネレータＭＧ１、モータジェネレータＭＧ２、動力分割機構３００、インバータ４００及びバッテリ５００を備え、伝達機構２１を介してハイブリッド車両２０の車輪２２を駆動させるシステムである。
【００３４】
ＥＣＵ１００は、本発明に係る「設定手段」、「判定手段」及び「制御手段」の一例であり、ハイブリッドシステム１０の動作全体を制御する電子制御ユニットとして機能するよう構成されている。具体的には、ＥＣＵ１００は、制御プログラムを格納した読み出し専用メモリ（Ｒｅａｄ  Ｏｎｌｙ  Ｍｅｍｏｒｙ：ＲＯＭ）及び各種データを格納する随時書き込み読み出しメモリ（Ｒａｎｄｏｍ  Ａｃｃｅｓｓ  Ｍｅｍｏｒｙ：ＲＡＭ）等を中心とした論理演算回路として構成されている。そして、各種センサから入力信号を受ける入力ポートと、動力分割機構３００等の各種アクチュエータに制御信号を送る出力ポートとに、バスを介して接続されている。
【００３５】
エンジン２００は、本発明に係る「内燃機関」の一例であり、例えば筒内の燃焼温度が比較的高くなる過給ガソリンエンジンであり、ハイブリッド車両２０の主たる動力源として機能する。尚、エンジン２００の詳細な構成については、図２を用いて後述する。
【００３６】
過給機６００は、空気を加圧してエンジン２００に吸入させ、吸入効率を相対的に向上させる。それ故、エンジン２００の出力も相対的に高まるが、他方で、燃焼温度も上昇して、点火プラグ２０２でプレイグが発生する可能性も高まる。
【００３７】
モータジェネレータＭＧ１は、バッテリ５００を充電するための発電機として、或いはエンジン２００の駆動力をアシストする電動機として機能するように構成されている。
【００３８】
モータジェネレータＭＧ２は、バッテリ５００を充電するための発電機として、或いはエンジン２００の出力をアシストする電動機として機能するように構成されている。
【００３９】
動力分割機構３００は、本発明に係る「トランスミッション機構」の一例であり、図示せぬサンギア、プラネタリキャリア、ピニオンギア、及びリングギアを備えた遊星歯車機構としてエンジン２００の動力がモータジェネレータＭＧ１及びモータジェネレータＭＧ２の２系統に分割されるように構成されている。
【００４０】
伝達機構２１は、動力分割機構３００のリングギアの回転軸に連結されており、車輪２２に駆動力を伝達可能に構成されている。
【００４１】
インバータ４００は、電力を交流−直流変換するよう構成され、バッテリ５００とモータジェネレータＭＧ１及びモータジェネレータＭＧ２との間で電力の授受を媒介する。
【００４２】
バッテリ５００は駆動時にはモータジェネレータＭＧ１及びモータジェネレータＭＧ２を駆動することが可能に構成された充電可能な蓄電池である。
【００４３】
以上、ハイブリッドシステム１０は図１に示したように構成されているので、ＣＶＴ  （Ｃｏｎｔｉｎｕｏｕｓｌｙ  Ｖａｒｉａｂｌｅ  Ｔｒａｎｓｍｉｓｓｉｏｎ：  ＣＶＴ）としても機能し、例えば、動力分割機構３００の遊星歯車機構を利用して、エンジン２００のトルクと回転数との相対比率を調整可能である。
【００４４】
＜エンジンの構成＞
次に、図２を参照して、本発明の一実施形態に係るエンジン２００の構成について説明する。ここに、図２は、第１実施形態に係るエンジンの模式的な断面図である。
【００４５】
図２において、エンジン２００は、吸気管２０６、インジェクタ２０７、シリンダブロック（点火プラグ２０２、クランクポジションセンサ２１８、ノックセンサ２１９、及びイオンプローブ２２０を含む）、及び排気管２１０を備え、各センサによって検出される各種物理量に基くＥＣＵ１００の制御によって例えばプレイグを好適に回避することが可能に構成されている。
【００４６】
吸気管２０６は、シリンダ２０１内部への吸入空気量を調節するスロットルバルブ２１４、スロットルバルブ２１４の開度を検出するスロットルポジションセンサ２１５、運転者によるアクセルペダル２２６の踏み込み量（即ち、要求出力）を検出するアクセルポジションセンサ２１６、踏み込み量に基いてスロットルバルブ２１４を駆動するスロットルバルブモータ２１７、ＥＣＵ１００の制御に従って開閉される吸気バルブ２０８を備え、シリンダ２０１内に過給機６００（図１参照）によって圧縮された空気を吸入（即ち、吸気）可能に構成されている。
【００４７】
インジェクタ２０７は、ＥＣＵ１００の制御に従って吸気管２０６内に燃料を噴射し、吸入された空気と共に混合気を形成可能に構成されている。
【００４８】
シリンダブロック内には、シリンダ２０１、点火プラグ２０２、ピストン２０３、コネクションロッド２０４、クランクシャフト２０５、ノックセンサ２１９、クランクポジションセンサ２１８、及びイオンプローブ２２０を備えており、吸気バルブ２０８から吸気される混合気を燃焼させて爆発力を得るように構成される。
【００４９】
シリンダ２０１は、その内部で混合気を爆発させることが可能に構成されている。
【００５０】
点火プラグ２０２は、混合気に着火するように構成されている。この点火プラグ２０２の温度が比較的高いとプレイグを招き、反対に、比較的低いとトルク変動の悪化や燻りの原因となり得る。
【００５１】
ピストン２０３は、上記爆発に応じて往復運動するように構成されている。
【００５２】
コネクションロッド２０４は、ピストン２０３の往復運度をクランクシャフ２０５の回転運動に変換するように構成されている。
【００５３】
クランクシャフ２０５は、コネクションロッド２０４を介してシリンダ２０１での爆発による力を受け、回転可能に構成されている。
【００５４】
ノックセンサ２１９は、エンジン２００のノック強度を検出するように構成されている。例えば、このノックセンサ２１９によって検出されるノックの発生時期と、点火プラグ２０２の着火時期との先後関係によって、プレイグの発生を検出することができる。
【００５５】
クランクポジションセンサ２１８は、クランクシャフト２０５の回転角（即ち、クランク角）を検出するように構成されている。こうして検出された回転角に基いて、ＥＣＵ１００はエンジン２００の回転数Ｎｅを算出し、その時間的な変動に基いて、間接的にトルク変動を検出することができる。
【００５６】
イオンプローブ２２０は、シリンダ２０１内での燃焼を、イオン電流として検出可能に構成されている。そして、ＥＣＵ１００は、例えば検出されたイオン電流の点火直後の波形を正常な場合と比べることで、点火プラグの燻りを検出できる。尚、これに加えて又は代えて、燃焼状態を検知するために燃焼圧を検出する圧力センサを設けてもよい。
【００５７】
そして、排気管２１０は、上述したようにシリンダ２０１内部で発生する排気ガスを、排気バルブ２０９を介して排気する。この排気ガスを過給機６００（図１参照）の圧縮に利用するとよい。
【００５８】
以上図１及び図２に示すように、本実施形態に係る内燃機関の制御装置は、ＥＣＵ１００、動力分割機構３００、点火プラグ２０２、クランクポジションセンサ２１８、ノックセンサ２１９、及びイオンプローブ２２０を備えるので、ＥＣＵ１００が、各センサによって検出される各種物理量に基いて動力分割機構３００を制御でき、もって、エンジン２００の出力を略一定に保ちつつも、トルクと回転数との相対比率を適宜変更して、例えばプレイグ等を好適に回避可能となる。
【００５９】
（１−２）動作処理
上述の如く構成された本実施形態に係る内燃機関の制御装置の動作処理について、図１及び図２に加えて、図３から図５を用いて説明する。ここに、図３は、第１実施形態に係るエンジンの出力と点火プラグの設置電極の温度との関係を示す特性図である。
【００６０】
図３において、横軸は、エンジン２００の出力（トルクと回転数との積）［ｋＷ］を、
縦軸は、点火プラグ２０２の接地電極の温度［℃］を夫々示す。そして、データとして、トルクを２００Ｎｍ、３００Ｎｍ、或いは４００Ｎｍに固定したまま、回転数を変化させる際の、出力と点火プラグ２０２の接地電極の温度との関係を示してある。
【００６１】
図３に示すように、本願発明者の研究によると、等トルク（例えば２００Ｎｍ）を発生させる場合に回転数を変更すると、回転数の上昇に伴い、トルクと回転数の積である出力が（例えば、２５ｋＷから６０ｋＷへ）上昇し、加えて接地電極の温度も（例えば、８２０℃から９００℃へ）上昇することが判明している。
【００６２】
更に、等出力を発生させる場合に、トルクと回転数との相対比率を変えると、接地電極の温度が以下に述べるように変化することが判明している。例えば９０ｋＷの出力を得るために、トルクを３００Ｎｍとすると接地電極の温度は８８０℃であるのに対して、出力を保持したままトルクを４００Ｎｍまで上げると接地電極の温度は８１０℃に下がる。この際、出力が保持されているので、トルクが上がる分、回転数は相対的に下がる。
【００６３】
以上、図３に示すように、等出力のままトルクを相対的に上げ、回転数を相対的に下げると、点火プラグ２０２の接地電極の温度が相対的に低下することが判明している。
【００６４】
続いて、図４を用いて、図３について更に説明を加える。ここに、図４は、第１実施形態に係る回転数とトルクとの関係を示す特性図である。
【００６５】
図４において、横軸は、エンジン２００の回転数［ｒｐｍ］を、縦軸は、エンジン２００のトルク［Ｎｍ］を夫々示す。そして、等出力線は、ある出力を発生する回転数とトルクとの組を各々結んで成り、複数の典型的な出力について複数本ひかれている。ロード・ロード線は、各出力線上において燃費等を考慮して好ましいとされる回転数とトルクとの組を各々結んで成る、通常の運転に用いられる制御線である。通常動作の際は、要求される出力を満たすために、ＥＣＵ１００がロード・ロード線に基いて、回転数とトルクとを決定すればよい。他方で、点火プラグ２０２の接地電極の温度がある観点からみて好ましくない場合には、図３に基づき回転数とトルクとの相対比率を変えるとよい。例えば点火プラグ２０２の接地電極の温度が比較的高いためにプレイグが発生するなら、図４の破線矢印に沿って点Ａから点Ｂへと移動させ、トルクを相対的に上げ、回転数を相対的に下げることで、プレイグが発生しなくなるまで接地電極の温度を相対的に低下させるとよい。
【００６６】
以上、図３及び図４を用いて示したように、トルクを相対的に大きくして、プレイグが発生しなくなるまで接地電極の温度を相対的に低下可能である。この際、等出力線上でかかる調整を行えば、出力の変化は極力抑えられるので実践上大変有利である。
【００６７】
続いて、図３及び図４を用いて説明した性質を踏まえて、第１実施形態に係るフローチャートを図５を用いて説明する。ここに、図５は、第１実施形態に係るフローチャートである。
【００６８】
図５のフローチャートに沿って処理を行うにあたり、処理の対象たるエンジン２００は過給ガソリンエンジンのような筒内の燃焼温度が比較的高くなる種類であるとする。この種のエンジン２００では、点火プラグ２０２の温度上昇によってプレイグが発生する虞がある。そこで、本実施形態に係るＥＣＵ１００は、プレイグが発生しないことを本処理の終了判定の条件とし、次いで、以降の処理が行われる。
【００６９】
図５において、通常走行時には、ハイブリッド車両２０は、最も燃費の良い制御点（図４：Ａ点）を使用する（ステップ１０１０）。
【００７０】
この状態で走行する際、定期的に或いは不定期的に、プレイグが発生しているか否かが判定される（ステップ１０２０）。具体的には、ＥＣＵ１００によって指定された点火時期（クランク角に合わせた点火すべき時期）と、実際の点火時期（例えばイオンプローブ２２０に流れるイオン電流が検出される時期）との先後関係が比較される。
【００７１】
ここで、実際の点火時期が、指定された点火時期に比べて先の場合（ステップ１０２０：Ｙｅｓ）、点火プラグ２０２が指定された点火時期よりも早期に点火されている、即ち、プレイグが発生していると推定できる。係るプレイグは、上述したように、点火プラグ２０２の温度上昇によって発生するので、点火プラグ２０２の温度を相対的に低下させることが望ましい。そこで、ＥＣＵ１００は、制御点を図４のＡ点から図４のＢ点へと移動させる。即ち、等出力線上で、回転数を相対的に下げ、代わりにトルクを相対的に上げるように動力分割機構３００や伝達機構２１といったトランスミッション機構を制御する（ステップ１０３０）。
【００７２】
尚、ＥＣＵ１００は、動力分割機構３００を制御することで、エンジン２００におけるトルク及び回転数間の相対比率を変更するのに加えて又は代えて、プレイグの発生の成否に応じてＭＧ１によりアシストするトルク量を増減してもよいし、更に、プレイグの発生の成否に応じてＭＧ２によりアシストするトルク量を変更してもよい。いずれの場合にも、エンジン２００における回転数を下げつつも、等出力が可能、即ちその時点で車両に対して要求されている出力を維持することが可能である。
【００７３】
他方、実際の点火時期が、指定された点火時期に比べて同時期或いは後の場合（ステップ１０２０：Ｎｏ）、プレイグは発生していないとして、本処理を終了する。
【００７４】
以上、図５のフローチャートに基くと、出力を極力保持したままプレイグを回避できる。このように、プレイグを適宜回避できれば、点火プラグ２０２の熱価を下げるような設計、即ち、熱を逃がしにくい故に燻りが発生しにくい設計が許容され、実践上大変有利である。
【００７５】
尚、実際にプレイグが発生していなくとも、プレイグが発生すると予想されるような領域（例えば、図４の斑点領域に示すような比較的高出力、高回転数の領域）を避けるように、トルクと回転数との相対比率を調整してもよい。更に、プレイグが発生しているか否かは、イオンプローブ２２０に加えて又は代えてノックセンサ２１９の検出値に基いて判定されてもよい。
（２）第２実施形態
次に、第２実施形態に係る内燃機関の制御装置の構成及び動作処理を説明する。本実施形態は、特に、リーン燃焼でトルク変動の度合いの悪化を抑止するための実施形態である。
【００７６】
（２−１）構成
本実施形態に係る内燃機関の制御装置の基本構成は、上述の第１実施形態に係る内燃機関の制御装置の基本構成（即ち、図１及び図２）と同様でよく、その詳細な説明を省略する。
【００７７】
（２−２）動作処理
上述の如く構成された本実施形態に係る内燃機関の制御装置の動作処理について、図５に加えて、図６から図８を用いて説明する。ここに、図６は、第２実施形態及び第３実施形態に係るエンジンの出力と点火プラグの設置電極の温度との関係を示す特性図であり、図７は、第２実施形態及び第３実施形態に係る回転数とトルクとの関係を示す特性図であり、図８は、第２実施形態に係るフローチャートである。
【００７８】
図６は、図３と比べて矢印の向き以外は同様の図であるため、その詳細な説明は適宜省略する。そして、図３が「等出力のままトルクを相対的に上げ、回転数を相対的に下げると、点火プラグ２０２の接地電極の温度が相対的に低下する」ことを示していたのに対し、図６は「等出力のままトルクを相対的に下げ、回転数を相対的に上げると、点火プラグ２０２の接地電極の温度が相対的に上昇する」ことを示す。
【００７９】
図７は、図４と比べて破線矢印の向き及び斑点領域以外は同様であるため、その詳細な説明は適宜省略する。図７は、例えば点火プラグ２０２の接地電極の温度が比較的低いためにトルク変動が悪化してしまうなら、図７の破線矢印に沿って点Ａから点Ｃへと移動させ、トルクを相対的に下げ、回転数を相対的に上げることで、トルク変動の悪化が解消されるまで接地電極の温度を相対的に上昇させるとよいということを示す。
【００８０】
以上、図６及び図７の特性に基いて、図８に示す本実施形態に係る動作処理が行われる。
【００８１】
尚、図８のフローチャートについて図５のフローチャートと同一のステップは同一の参照符号を付し、その詳細な説明を適宜省略する。
【００８２】
図８のフローチャートに沿って処理を行うにあたり、先ず前提として、このようなリーン燃焼下では、燃焼初期の成長過程（具体的には、点火から火炎への成長過程）のエネルギが点火プラグ２０２に奪われてしまい、トルク変動も悪化する虞がある。そこで、本実施形態に係るＥＣＵ１００は、トルク変動の度合いが所定変動閾値以内であること（即ち、トルク変動が悪化していないこと）を本処理の終了判定の条件とし、次いで、以降の処理が行われる。
【００８３】
図８において、先ず、例えば過給リーンバーン式であるエンジン２００を搭載したハイブリッド車両２０が、リーン燃焼状態（図７のロード・ロード線上の点Ａを含む斑点領域を参照）で走行しているとする（ステップ２０１０）。このようなリーン燃焼下では、燃焼初期の成長過程（具体的には、点火から火炎への成長過程）のエネルギが点火プラグ２０２に奪われてしまい、トルク変動も悪化する虞がある。
【００８４】
そこで、エンジン２００のトルク変動の度合いが所定変動閾値以内であるか否かが、例えばクランクポジションセンサ２１８の出力値から得た回転数Ｎｅの変化率が、トルク変動が悪化しているとみなしうる値を超えているか否かに基いて判定される（ステップ２０２０）。
【００８５】
ここで、トルク変動の度合いが悪化しているとみなされる場合（ステップ２０２０：Ｙｅｓ）、点火プラグ２０２に奪われたエネルギを補充するために、点火プラグ２０２の接地電極の温度を相対的に上昇させる（図６の破線矢印を参照）。具体的には、ＥＣＵ１００が、エンジン２００のトルクを相対的に下げ、回転数を相対的に上げるように動力分割機構３００等を制御する（ステップ２０３０）。
【００８６】
他方、トルク変動が悪化していない場合（ステップ２０２０：Ｎｏ）、本処理を終了する。
【００８７】
以上、図８に示した処理に基くと、出力を保持しながらも、点火プラグ２０２の接地電極の温度を上げることでトルク変動の悪化を回避できる。尚、実際にプレイグが発生している場合や、プレイグが発生すると予想されるような領域では、本態様のように燃焼室の温度を上げることは避けてもよい（第４実施形態を参照）。
（３）第３実施形態
次に、第３実施形態に係る内燃機関の制御装置の構成及び動作処理を説明する。本実施形態は、特に、点火プラグ２０２の燻りを解消するための実施形態である。
【００８８】
（３−１）構成
本実施形態に係る内燃機関の制御装置の基本構成は、上述の第１実施形態に係る内燃機関の制御装置の基本構成（即ち、図１及び図２）と同様でよく、その詳細な説明を省略する。
【００８９】
（３−２）動作処理
上述の如く構成された本実施形態に係る内燃機関の制御装置の動作処理について、図５から図８に加えて、図９から図１１を用いて説明する。ここに、図９は、第３実施形態に係るフローチャートであり、図１０は、第３実施形態に係る点火プラグにおける放電電圧の時間波形図であり、図１１は、第３実施形態に係る点火プラグにおけるイオン電流の時間波形図である。尚、図９のフローチャートについて図５或いは図８のフローチャートと同一のステップは同一の参照符号を付し、その詳細な説明を適宜省略する。
【００９０】
図９のフローチャートに沿って処理を行うにあたり、先ず前提として、プレイグを避けるために点火プラグ２０２の熱価が比較的高くなるよう設計されているとする。このように熱価が高い点火プラグ２０２からは熱が逃げやすく、冷間始動時やシリンダ２０１内の温度が比較的低い場合には、点火プラグ２０２に煤が付着して燻りが発生する虞がある。そこで、本実施形態に係るＥＣＵ１００は、点火プラグ２０２で燻りが発生しないことを本処理の終了判定の条件とし、次いで、以降の処理が行われる。
【００９１】
図９において、先ず、ハイブリッド車両２０は、通常走行時には最も燃費の良い制御点（図７：Ａ点）を使用する（ステップ１０１０）。
【００９２】
この状態で走行する際、定期的に或いは不定期的に、点火プラグ２０２で燻りが発生しているか否かが判定される（ステップ３０２０）。具体的には、図１０に示すように点火の際の点火プラグ２０２の放電電圧をピークホールドで計測して得られるピークが１０ｋＶ以下（この値はエンジン種類等により当然異なる）でないか、或いは、図１１に示すようにイオンプローブ２２０で検出されるイオン電流において正常時にあるはずの点火直後の波形がなくなっていないかが比較される。
【００９３】
ここで、図１０及び図１１について説明を加える。
【００９４】
図１０において、横軸は時間、縦軸は上下に並ぶ三つの波形のうち最上段は点火プラグ２０２への点火信号、残り二段は、点火プラグの放電電圧（点火プラグ２０２が正常な場合、及び異常な場合）を夫々示す。これら上下の放電波形を比較すると、点火当初に表れるピーク（いわゆる、容量放電）は、点火プラグ２０２が正常な場合には２０から３０ｋＶに及ぶ（加えて、放電時間は約１．２ｍｓであり、容量放電の後はピークが１から２ｋＶ）が、点火プラグ２０２が異常な場合には１０ｋＶ以下或いは１０ｋＶにも満たないことが判る。このことを利用して、係る放電波形のピークをピークホールドで計測し、そのピークの大きさを調べることで、点火プラグ２０２が正常或いは異常いずれかの場合であるかを判定することができる。
【００９５】
或いは図１１において、横軸は時間、縦軸は上下に並ぶ三つの波形のうち最上段は点火プラグ２０２への点火信号、残り二段は、最上段の点火信号に対するイオンプローブ２２０で検出されるイオン電流（点火プラグ２０２が正常な場合、及び異常な場合）を夫々示す。これら残り二段のイオン電流の波形を比較すると、点火プラグ２０２が正常な場合には存在する点火直後の波形が、点火プラグ２０２が異常な場合にはなくなってしまうことが判る。このことを利用して、係る点火直後のイオン電流の波形をイオンプローブ２２０で検出し、点火直後の波形の有無を調べることで、点火プラグ２０２が正常或いは異常いずれかの場合であるかを判定することができる。
【００９６】
以上、図１０に係る点火プラグ２０２の放電波形、或いは図１１に係るイオンプローブ２２０のイオン電流の波形のうち、いずれの波形を用いても点火プラグ２０２の燻りが発生しているか否かを判定することができる。
【００９７】
再び、図９に戻って、点火プラグ２０２で燻りが発生している場合（ステップ３０２０：Ｙｅｓ）、係る燻りは、上述したように、点火プラグ２０２の温度低下によって発生するので、点火プラグ２０２の温度を相対的に上昇させることが望ましい。そこで、ＥＣＵ１００は、制御点を図７のＡ点から図７のＣ点へと移動させる。即ち、等出力線上で、回転数を相対的に上げ、代わりにトルクを相対的に下げるように動力分割機構３００等のトランスミッション機構を制御する（ステップ２０３０）。
【００９８】
他方、点火プラグ２０２で燻りが発生していない場合（ステップ３０２０：Ｎｏ）、点火プラグ２０２で燻りが発生していない或いは解消されたとして、本処理を終了する。
【００９９】
以上、図９のフローチャートに基くと、出力を極力保持したまま燻りを回避或いは解消できる。このように、プレイグを適宜回避できれば、点火プラグ２０２の熱価を下げるような設計、即ち、熱を逃がしにくい故に燻りが発生しにくい設計が許容され、実践上大変有利である。加えて、点火プラグ２０２を少なくとも二つ備える態様としてもよい。点火プラグ２０２が一つしかない場合に完全な燻りが発生してしまうと、全く点火されず、いくら制御点を移動しても温度を上げることができないからである。こうすれば、一層確実に、内燃機関の出力を保持しながらも、温度を上げることで燻りを回避できるので実践上大変有利である。尚、実際にプレイグが発生している場合や、プレイグが発生すると予想されるような領域では、本態様のように燃焼室の温度を上げることは避けてもよい（第４実施形態を参照）。
（４）第４実施形態
次に、第４実施形態に係る内燃機関の制御装置の構成及び動作処理を説明する。本実施形態は、特に、点火プラグ２０２でプレイグが発生している場合や、プレイグが発生すると予想されるような領域では、上述したように燃焼室の温度を上げることを避けるための、第２実施形態或いは第３実施形態の変形形態である。
【０１００】
（４−１）構成
本実施形態に係る内燃機関の制御装置の基本構成は、上述の第１実施形態に係る内燃機関の制御装置の基本構成（即ち、図１及び図２）と同様でよく、その詳細な説明を省略する。
【０１０１】
（４−２）動作処理
上述の如く構成された本実施形態に係る内燃機関の制御装置の動作処理について、図８及び図９に加えて、図１２及び図１３を用いて説明する。
【０１０２】
先ず、図１２を参照して、本実施形態（第２実施形態の変形形態）に係る内燃機関の制御装置の動作処理について説明する。ここに、図１２は、第４実施形態（第２実施形態の変形形態）に係るフローチャートである。尚、図１２のフローチャートについて図８のフローチャートと同一のステップは同一の参照符号を付し、その詳細な説明を適宜省略する。
【０１０３】
図１２において、先ず、例えば過給リーンバーン式であるエンジン２００を搭載したハイブリッド車両２０が、リーン燃焼状態（図７のロード・ロード線上の点Ａを含む斑点領域を参照）で走行しているとする（ステップ２０１０）。
【０１０４】
この状態で走行する際、定期的に或いは不定期的に、エンジン２００のトルク変動の度合いが所定変動閾値以内であるか否かが判定される（ステップ２０２０）。
【０１０５】
ここで、トルク変動の度合いが悪化しているとみなされる場合（ステップ２０２０：Ｙｅｓ）、点火プラグ２０２に奪われたエネルギを補充するために、点火プラグ２０２の接地電極の温度を相対的に上昇させることが望ましい。しかし、点火プラグ２０２の温度が上昇すると、プレイグの発生が問題となる。そこで、先ず、図７の点Ａから回転数を相対的に上げ、且つ負荷を相対的に下げてもプレイグが発生しないかを判定する（ステップ４０２０）。具体的には、プレイグが発生すると予想されるような領域（例えば、図４の斑点領域に示すような比較的高出力、高回転数の領域）に入ってしまわないかを判定する。或いはイオンプローブ２２０又はノックセンサ２１９の検出値に基いて判定してもよい。ここで、回転数を上げ、且つ負荷を下げてもプレイグが発生しないと判定される場合（ステップ４０２０：ＹＥＳ）、ＥＣＵ１００が、エンジン２００のトルクを相対的に下げ、回転数を相対的に上げるように動力分割機構３００等を制御する（ステップ２０３０）。
【０１０６】
他方、トルク変動が悪化していない場合（ステップ２０２０：Ｎｏ）、或いは回転数を上げ、且つ負荷を下げるとプレイグが発生すると予想される場合（ステップ４０２０：ＮＯ）には、本処理を終了する。
【０１０７】
以上、図１２に示した処理に基くと、出力を保持しながらも、点火プラグ２０２の接地電極の温度を上げることでトルク変動の悪化を回避できる。加えて、実際にプレイグが発生している場合や、プレイグが発生すると予想されるような領域では、燃焼室の温度を上げることを避けることができる。
【０１０８】
次に、図１３を参照して、本実施形態（第３実施形態の変形形態）に係る内燃機関の制御装置の動作処理について説明する。ここに、図１３は、第４実施形態（第３実施形態の変形形態）に係るフローチャートである。尚、図１３のフローチャートについて図９のフローチャートと同一のステップは同一の参照符号を付し、その詳細な説明を適宜省略する。
【０１０９】
図１３において、先ず、ハイブリッド車両２０は、通常走行時には最も燃費の良い制御点（図４のＡ点）を使用する（ステップ１０１０）。
【０１１０】
この状態で走行する際、定期的に或いは不定期的に、定期的に或いは不定期的に、点火プラグ２０２で燻りが発生しているか否かが判定される（ステップ３０２０）。
【０１１１】
ここで、点火プラグ２０２で燻りが発生している場合（ステップ３０２０：Ｙｅｓ）、係る燻りは、上述したように、点火プラグ２０２の温度低下によって発生するので、点火プラグ２０２の接地電極の温度を相対的に上昇させることが望ましい。しかし、この場合も図１２の本実施形態（第２実施形態の変形形態）と同様に、点火プラグ２０２の温度が上昇すると、プレイグの発生が問題となる。そこで、先ず、図７の点Ａから回転数を相対的に上げ、且つ負荷を相対的に下げてもプレイグが発生しないかを判定する（ステップ４０２０）。ここで、回転数を上げ、且つ負荷を下げてもプレイグが発生しないと判定される場合（ステップ４０２０：ＹＥＳ）、ＥＣＵ１００が、エンジン２００のトルクを相対的に下げ、回転数を相対的に上げるように動力分割機構３００等を制御する（ステップ２０３０）。
【０１１２】
他方、点火プラグ２０２で燻りが発生していない場合（ステップ３０２０：Ｎｏ）、或いは回転数を上げ、且つ負荷を下げるとプレイグが発生すると予想される場合（ステップ４０２０：ＮＯ）には、本処理を終了する。
【０１１３】
以上、図１３に示した処理に基くと、出力を保持しながらも、出力を極力保持したまま燻りを回避或いは解消できる。加えて、実際にプレイグが発生している場合や、プレイグが発生すると予想されるような領域では、燃焼室の温度を上げることを避けることができる。
【０１１４】
尚、上述の実施形態では、プレイグ、トルク変動の悪化、及び燻りに対処する処理を夫々説明したが、トルクと回転数との相対比率を変更することで、点火プラグの設置電極の温度を変えることが有効な状況であれば、他の目的を達成するために、トランスミッション機構を制御してもよい。
【０１１５】
尚、実施形態を説明するために用いた各図において、具体的な数値範囲はあくまで一例であり、数値範囲を限定する趣旨ではない。係る数値範囲は、例えば、車両及び車両に搭載される各部品の条件次第で十分に変動しうる値であり、車両及び車両に搭載される各部品の変更に伴い適宜変更されてよい。
【０１１６】
本発明は、上述した実施形態に限られるものではなく、請求の範囲及び明細書全体から読み取れる発明の要旨、或いは思想に反しない範囲で適宜変更可能であり、そのような変更を伴う内燃機関の制御装置も又、本発明の技術的範囲に含まれるものである。
【図面の簡単な説明】
【０１１７】
【図１】本発明の第１実施形態に係るハイブリッドシステムのブロック図である。
【図２】第１実施形態に係るエンジンの模式的な断面図である。
【図３】第１実施形態に係るエンジンの出力と点火プラグの設置電極の温度との関係を示す特性図である。
【図４】第１実施形態に係る回転数とトルクとの関係を示す特性図である。
【図５】第１実施形態に係るフローチャートである。
【図６】第２実施形態及び第３実施形態に係るエンジンの出力と点火プラグの設置電極の温度との関係を示す特性図である。
【図７】第２実施形態及び第３実施形態に係る回転数とトルクとの関係を示す特性図である。
【図８】第２実施形態に係るフローチャートである。
【図９】第３実施形態に係るフローチャートである。
【図１０】第３実施形態に係る点火プラグにおける放電電圧の時間波形図である。
【０１１８】
図１０に示すように、
【図１１】第３実施形態に係る点火プラグにおけるイオン電流の時間波形図である。
【図１２】第４実施形態（第２実施形態の変形形態）に係るフローチャートである。
【図１３】第４実施形態（第３実施形態の変形形態）に係るフローチャートである。
【符号の説明】
【０１１９】
１…車両、１０…ハイブリッドシステム、１００…ＥＣＵ、２００…エンジン、ＭＧ１…モータジェネレータ、ＭＧ２…モータジェネレータ、３００…動力分割機構、４００…インバータ、５００…バッテリ、２０…ハイブリッド車両、２０２…点火プラグ、２１８…クランクポジションセンサ、２１９…ノックセンサ、２２０…イオンプローブ
【図１】
0004736851.tif 000002
【図２】
0004736851.tif 000003
【図３】
0004736851.tif 000004
【図４】
0004736851.tif 000005
【図５】
0004736851.tif 000006
【図６】
0004736851.tif 000007
【図７】
0004736851.tif 000008
【図８】
0004736851.tif 000009
【図９】
0004736851.tif 000010
【図１０】
0004736851.tif 000011
【図１１】
0004736851.tif 000012
【図１２】
0004736851.tif 000013
【図１３】
0004736851.tif 000014